(57)【特許請求の範囲】
【請求項１】
二次局から一次局へのデータの伝送のためのランダムアクセスチャネルを有する無線通信システムであって、前記二次局はランダムアクセスチャネル資源に対するアクセスを要求する手段を備え、前記一次局は応答して第１のシグネチャで符号化された応答信号および第２のシグネチャで符号化された拒絶信号の少なくとも一つを伝送する手段を備え、前記応答信号および前記拒絶信号は実質的に同時に伝送可能であり、前記信号を符号化するために利用可能なシグネチャが、第１セットおよび第２セットに、いずれのセットも他方のセットにおけるシグネチャの逆であるシグネチャを含まないように区分され、前記第１のシグネチャは前記第１セットから選択され、前記第２のシグネチャは前記第２セットから選択される無線通信システム。
【請求項２】
前記ランダムアクセスチャネルはパケット形式のデータ伝送に適応されることを特徴とする請求項１に記載の無線通信システム。
【請求項３】
二次局から一次局へのデータの伝送のためのランダムアクセスチャネルを有する無線通信システムにおいて用いる一次局であって、該一次局は、ランダムアクセスチャネル資源へのアクセスに関する要求を前記二次局から受け取り、応答して第１のシグネチャで符号化された応答信号および第２のシグネチャで符号化された拒絶信号の少なくとも一つを伝送する手段を備え、前記応答信号および前記拒絶信号は実質的に同時に伝送可能であり、前記信号を符号化するために利用可能なシグネチャが、第１セットおよび第２セットに、いずれのセットも他方のセットにおけるシグネチャの逆であるシグネチャを含まないように区分され、前記第１のシグネチャは前記第１セットから選択され、前記第２のシグネチャは前記第２セットから選択される一次局。
【請求項４】
前記第１セットは複数のシグネチャおよびそれらの逆を含むことを特徴とする請求項３に記載の一次局。
【請求項５】
前記第２セットはあるシグネチャおよびその逆の両方を含まないことを特徴とする請求項３または４に記載の一次局。
【請求項６】
一次局へのデータの伝送のためのランダムアクセスチャネルを有する無線通信システムにおいて用いる二次局であって、該二次局は、ランダムアクセスチャネル資源に対するアクセスを要求し、第１のシグネチャで符号化された応答信号および第２のシグネチャで符号化された拒絶信号の少なくとも一つを前記一次局から受け取る手段を備え、前記応答信号および前記拒絶信号は実質的に同時に伝送可能であり、応答信号および拒絶信号を符号化するために利用可能なシグネチャが、第１セットおよび第２セットに、いずれのセットも他方のセットにおけるシグネチャの逆であるシグネチャを含まないように区分され、前記第１のシグネチャは前記第１セットから選択され、前記第２のシグネチャは前記第２セットから選択される二次局。
【請求項７】
ランダムアクセスチャネル資源に対するアクセスを要求する前記手段が、当該資源に対応するシグネチャで符合化された信号を送信する手段を含むことを特徴とする請求項６に記載の二次局。
【請求項８】
二次局から一次局へのデータの伝送のためのランダムアクセスチャネルを有する無線通信システムを動作させる方法であって、該方法は、少なくとも一つの前記二次局がランダムアクセスチャネル資源に対するアクセスを要求するステップ、および前記一次局が応答して第１のシグネチャで符号化された応答信号および第２のシグネチャで符号化された拒絶信号の少なくとも一つを伝送するステップを含み、前記応答信号および前記拒絶信号は実質的に同時に伝送可能であり、前記信号を符号化するために利用可能なシグネチャが、第１セットおよび第２セットに、いずれのセットも他方のセットにおけるシグネチャの逆であるシグネチャを含まないように区分され、前記第１のシグネチャは前記第１セットから選択され、前記第２のシグネチャは前記第２セットから選択される方法。
【請求項９】
前記資源は特定のビットレートをサポートするチャネルを含むことを特徴とする請求項８に記載の方法。
【請求項１０】
前記第１セットは複数のシグネチャおよびそれらの逆を含み、前記第２セットはあるシグネチャおよびその逆の両方を含まないことを特徴とする請求項８または９に記載の方法。
【発明の詳細な説明】
【０００１】
【発明の属する技術分野】
本発明は、二次局から一次局へのデータ伝送のためのランダムアクセスチャネルを有する無線通信システムに関し、更に、そのようなシステムにおいて用いる一次局および二次局、ならびに、そのようなシステムを動作させる方法に関する。本明細書は、新興の汎用移動情報通信システム(Universal Mobile Telecommunication System：ＵＭＴＳ)を特に参照してシステムを述べるが、以下に記述される技法がその他の移動無線システムにおける使用にも同様に適用できる点を理解されたい。本明細書において、ランダムアクセスチャネルという用語は、ランダムアクセス伝送を実行する論理チャネルを意味するが、典型的には多数の独立した物理チャネルから構成されるであろう。
【０００２】
【従来の技術】
ランダムアクセスチャネルは、無線通信システムの標準コンポーネントであり、移動局(Mobile Station：ＭＳ)が基地局(Base Station：ＢＳ)に短いメッセージを送ることを可能にする。アプリケーションは、ＭＳがオンにされる際のＢＳへの信号送信、ＭＳが通話でない場合のＢＳへのデータパケット送信およびＭＳが使用する資源割り当てに関するＢＳへの要求を含む。
【０００３】
移動局が実際に通話中でない時ＢＳへのデータパケット送信が必要となることが多いシステムにおいては、標準のランダムアクセスチャネルと同様の特性を有してはいるがＭＳからＢＳへの小中サイズのパケットの伝送を意図したランダムアクセスパケットチャネルを備えることが有利である。
【０００４】
ＵＭＴＳのために開発されたそのような方式の１つの実施形態においては、１つのＭＳが使用することができる多数のランダムアクセスパケットチャネルが存在する。資源を要求するために割り当てられる多数の識別シグネチャが存在し、その各々は、あらかじめ定められたビットレート(ＢＳがそのビットレートに対して適切なチャネルを割り当てようとする)またはあらかじめ定められたビットレートを有する特定のチャネルのいずれかに対応する。パケットチャネルへのアクセスを取得したいＭＳは、必要資源に対応するシグネチャからランダムに選択されるシグネチャで符号化されたアクセス要求を送る。このアクセス要求は、スロット化アロハ(slotted aloha)方式を使用して定義済み時間スロットにおいて伝送される。次に、ＭＳは、次の３つの可能な応答の１つを待つ。
１. 選択されたシグネチャに対応する肯定応答(ＡＣＫ)。
これは、(選択されたチャネルへのアクセス権を１つのＭＳだけが取得するように)ＭＳが競合解消フェーズへ進むべきことを意味する。
２．選択されたシグネチャを用いて符号化された応答がない。
このケースでは、ＭＳは、(最大パワーレベルまたは最大試行数に到達していない限り)、次の使用可能時間スロットにおいて一層高いパワーで別のアクセスを試行する。または、
３. 選択されたシグネチャに対応する否定応答(ＮＡＣＫ)。
これは、ＭＳが受け入れられず、バックオフ期間の終了までアクセスの試行を続けてはならないことを示す。ＮＡＣＫは、通常、肯定応答ＡＣＫの逆(inverse)であるように定義される。
【０００５】
この方式の１つの変形においては、ＭＳは特定チャネルではなくビットレートを要求し、個々のシグネチャに対応するアクセス拒絶のＮＡＣＫは送信されない。その代わり、ビットレートを表す１つのシグネチャが選択される。従って、特定のビットレートが使用可能ではないことを示すため単一ＮＡＣＫが使用され、それによって、いくつかのチャネルの可用性のないことを通知する場合に比較して、パワー消費および干渉レベルを減少させることができる。
【０００６】
ＢＳは、成功した要求のシグネチャに対応するシグネチャで符号化されたＡＣＫをブロードキャストすることを望むかもしれないが、同時に、成功した要求に割り当てられているチャネルと同じビットレートを要求するその他のシグネチャに対するＮＡＣＫをブロードキャストする可能性がある。この手法にかかわる問題は、同じシグネチャに対応するＡＣＫおよびＮＡＣＫを送出することが要求される可能性がある点である。これは、１つの信号およびその全く逆の信号の伝送を必要とするが、これは相互に相殺し、結果として情報がなにも送信されないことになる。
【０００７】
【発明が解決しようとする課題】
本発明の目的は、ランダムアクセスチャネルに関して改良された応答方式を提供することにある。
【０００８】
【課題を解決するための手段】
本発明の第１の観点によれば、二次局から一次局へのデータの伝送のためのランダムアクセスチャネルを有する無線通信システムであって、前記二次局はランダムアクセスチャネル資源に対するアクセスを要求する手段を備え、前記一次局は応答して第１のシグネチャで符号化された応答信号および第２のシグネチャで符号化された拒絶信号の少なくとも一つを伝送する手段を備え、前記応答信号および前記拒絶信号は実質的に同時に伝送可能であり、前記信号を符号化するために利用可能なシグネチャが、第１セットおよび第２セットに、いずれのセットも他方のセットにおけるシグネチャの逆であるシグネチャを含まないように区分され、前記第１のシグネチャが前記第１セットから選択され、前記第２のシグネチャが前記第２セットから選択される無線通信システムが提供される。
【０００９】
本発明の第２の観点によれば、二次局から一次局へのデータの伝送のためのランダムアクセスチャネルを有する無線通信システムにおいて用いる一次局であって、該一次局は、ランダムアクセスチャネル資源へのアクセスに関する要求を前記二次局から受け取り、応答して第１のシグネチャで符号化された応答信号および第２のシグネチャで符号化された拒絶信号の少なくとも一つを伝送する手段を備え、前記応答信号および前記拒絶信号は実質的に同時に伝送可能であり、前記信号を符号化するために利用可能なシグネチャが、第１セットおよび第２セットに、いずれのセットも他方のセットにおけるシグネチャの逆であるシグネチャを含まないように区分され、前記第１のシグネチャが前記第１セットから選択され、前記第２のシグネチャが前記第２セットから選択される一次局が提供される。
【００１０】
本発明の第３の観点によれば、一次局へのデータの伝送のためのランダムアクセスチャネルを有する無線通信システムにおいて用いる二次局であって、該二次局は、ランダムアクセスチャネル資源に対するアクセスを要求し、第１のシグネチャで符号化された応答信号および第２のシグネチャで符号化された拒絶信号の少なくとも一つを前記一次局から受け取る手段を備え、前記応答信号および前記拒絶信号は実質的に同時に伝送可能であり、応答信号および拒絶信号を符号化するために利用可能なシグネチャが、第１セットおよび第２セットに、いずれのセットも他方のセットにおけるシグネチャの逆であるシグネチャを含まないように区分され、前記第１のシグネチャが前記第１セットから選択され、前記第２のシグネチャが前記第２セットから選択される二次局が提供される。
【００１１】
本発明の第４の観点によれば、二次局から一次局へのデータの伝送のためのランダムアクセスチャネルを有する無線通信システムを動作させる方法であって、該方法は、少なくとも一つの前記二次局がランダムアクセスチャネル資源に対するアクセスを要求するステップおよび前記一次局が応答して第１のシグネチャで符号化された応答信号および第２のシグネチャで符号化された拒絶信号の少なくとも一つを伝送するステップを含み、前記応答信号および前記拒絶信号は実質的に同時に伝送可能であり、前記信号を符号化するために利用可能なシグネチャが、第１セットおよび第２セットに、いずれのセットも他方のセットにおけるシグネチャの逆であるシグネチャを含まないように区分され、前記第１のシグネチャが前記第１セットから選択され、前記第２のシグネチャが前記第２セットから選択される方法が提供される。
【００１２】
【発明の実施の形態】
図１を参照すれば、無線通信システム１は、一次局(ＢＳ)１００および複数の二次局(ＭＳ)１１０を含む。ＢＳ１００は、マイクロコントローラ(μＣ)１０２、アンテナ手段１０６に接続したトランシーバ手段(Ｔｘ／Ｒｘ)１０４、伝送されるパワーレベルを変更するパワー制御手段(ＰＣ)１０７、および、ＰＳＴＮまたは他の適当なネットワークへの接続のための接続手段１０８を備える。各ＭＳ１１０は、マイクロコントローラ(μＣ)１１２、アンテナ手段１１６に接続したトランシーバ手段(Ｔｘ／Ｒｘ)１１４、および、伝送されるパワーレベルを変更するパワー制御手段(ＰＣ)１１８を備える。ＢＳ１００からＭＳ１１０への通信はダウンリンクチャネル１２２上で発生し、一方、ＭＳ１１０からＢＳ１００への通信はアップリンクチャネル１２４上で発生する。
【００１３】
周波数分割二重システムで動作するランダムアクセスパケットチャネルに関する基本方式が図２に示されているが、ここでは、ダウンリンクチャネル１２２の上方にアップリンクチャネル１２４が図示されている。アクセスフェーズにおいて、ＭＳ１１０は、先ず、特定のアクセススロットにおいて低いパワーレベルでプリアンブル(Ｐ)２０２を伝送する。プリアンブルは、要求されたチャネルに対応するシグネチャで符号化されている。シグネチャは、特定のビットシーケンスによって変調されたスクランブリング符号およびチャネル化符号によって特性化された信号である。変調のため相互に直交するビットシーケンスを定義することによって相互に直交するシグネチャセットを取得することができる。そのようなセットの１例は、図３に示されているような、Ｐ0からＰ15までの１６個のシグネチャを含むセットである。各シグネチャＰiは、１６の複素記号Ｓを含み、複素記号ＳのそれぞれはＡまたは−Ａのいずれかである。ただし、A=1+jである。各シグネチャの逆(inverse)は、Ａと−Ａを入れ替えることによって得られる。シグネチャおよびその逆は、１つのシグネチャがその逆に対して直交でないという例外はあるが、すべて相互に直交する。
【００１４】
異なるシグネチャセットは、スクランブリング符号またはチャネル化符号(すなわち物理チャネル)を変更することによってまたはビットシーケンスの異なる相互に直交するセットを使用することによって取得することができる。代替的には、厳密な直交性ではなくむしろ低い相関性を持つような形態で比較的大きなシグネチャセットを定義することも可能である。本明細書が１６個のシグネチャからなるセットを引用しているが、異なる数のシグネチャからなるセットを使用した異なる実施形態も可能である。
【００１５】
この基本方式において、アクセスプリアンブル２０２を符合化するためのプリアンブルシグネチャの選択は、ＭＳ１１０によって要求される物理チャネルを決定する。該方式の１つの実施形態においては、ＭＳ１１０は、その対応するシグネチャで、１つのチャネルを選択する。しかしながら、各シグネチャが、使用可能なビットレートの所定のセットのうちの１つに対応することが好ましい。これは、他の適当なチャネルが利用可能であるのに使用中チャネルを要求することによってＭＳ１１０のアクセス要求が拒絶されるという問題を回避する。要求されたビットレートに対応するシグネチャが２以上あれば、ＭＳ１１０は、ランダムにまたは所定の方法でそれらのうちの１つを選択する。
【００１６】
ＢＳ１００はプリアンブルを受け取って正しく復号すると、受け取ったプリアンブルに対応するプリアンブル応答(Ａ)２０６を伝送することができる。ＭＳ１１０が次の利用可能なスロットにおいて再びアクセスを試行することをＢＳ１００が望まない限り、この応答は伝送される。図２に示される例においては、最初のプリアンブル２０２が伝送された後、そのために割り当てられるスロット２０４に(スロットは典型的に長さ１ｍｓ)応答が返されない。従って、ＭＳ１１０は、一層高いパワーレベルで別のプリアンブル２０２を伝送する。再びスロット２０４に応答は返されないので、ＭＳ１１０は更に高いパワーで別のプリアンブル２０２を伝送する。これは、ＢＳ１００によって受け取られ復号され、ＢＳ１１０が応答２０６を伝送し、アクセスフェーズは完了する。
【００１７】
プリアンブル２０２が受け取られたことをＭＳ１１０に通知すると共に、応答２０６は、要求されたチャネルが使用可能であり、ＭＳ１１０が競合解消フェーズへ進まなければならないことを通知する肯定応答(ＡＣＫ)か、アクセスがＭＳ１１０に対して拒絶されたことを通知する否定応答(ＮＡＣＫ)であり得る。単一のＮＡＣＫを、特定のビットレートに対応するチャネルグループが使用可能でないことを示すために使用することができる。例えば、ＢＳ１００が、各々が９６０ＫＢＰＳ(毎秒Ｋビット)チャネルへのアクセスを要求する異なるシグネチャで符合化された３つのプリアンブルを受け取るが、使用可能チャネルが１つだけしかないとすれば、ＢＳ１００は、プリアンブルのうちの１つに対応するＡＣＫを送り出し、その他のアクセスの試行が失敗したことを示すＮＡＣＫをブロードキャストする。特定のビットレートに対応するＮＡＣＫのブロードキャストは、使用可能でないビットレートを要求しようとしている可能性のある別のＭＳ１１０にそれを知らせることができるという利点を持つ。チャネルグループに対応するＮＡＣＫの更に別の用途としては、ＢＳ１００が(適当なチャネルがないという理由以外のため)サービスできないような多数のアクセスプリアンブル２０２が伝送される場合に、ＢＳ１００が、このチャネルグループに対応するＮＡＣＫをブロードキャストすることによって、各ＭＳ１１０が次のスロットにおいて一層高いパワーでアクセスプリアンブル２０２を再送信することを防止することができる。
【００１８】
たとえ多数のプリアンブル２０２が伝送されたとしても、ＢＳ１００は各アクセススロットの間に１つの応答を伝送するだけである。選択のための１つの基準は、最も高いパワーで受け取られたプリアンブル２０２を許諾することである。２以上のプリアンブル２０２が伝送され、各プリアンブルがそれぞれ異なるシグネチャで符合化されているならば、各ＭＳ１１０は、プリアンブル２０２が正しく受け取られたか否かを認識するであろう。しかしながら、２以上のＭＳ１１０が同じシグネチャを選択し、プリアンブル２０２が受け取られたとみなす場合があり得る。そのような移動局１１０の各々がそのデータを伝送し始めると、その結果衝突が発生し、いずれのデータも正しく受け取られない可能性がある。
【００１９】
そのような事態の発生を減少させるため、要求された資源が使用可能であることを示す肯定応答２０６の伝送に続いて、衝突解消フェーズが用意される。ＢＳ１００によって肯定応答された要求に対応するシグネチャで符合化されたプリアンブル２０２を伝送した各ＭＳ１１０は、ここで、更なる競合解消プリアンブル(ＣＰ)２０８を伝送する。このプリアンブル２０８は、１６個の可能なシグネチャからなる別のセットからランダムに選択されたシグネチャで符合化される。このセットは、(変調用ビットシーケンスのセット、スクランブリング符号またはチャネル化符号のいずれかの変更によって得られる)当該アクセスプリアンブル２０２のために使用されたセットとは異なるものとするか、あるいは、シグネチャのセットがアクセスフェーズと競合解消フェーズで共有されるようにしてもよい。次に、ＢＳ１００は、(例えば最大パワーで受け取った)選択されたプリアンブル２０８に対応する競合解消肯定応答(ＣＡ)２１０を発信し、また、ＭＳ１１０がそのデータを伝送することを可能にするチャネル割当て情報を発信する。このようにして、２以上のＭＳ１１０が同じアクセスプリアンブル２０２を選択したとしても、同じ競合解消プリアンブル２０８が選択される機会は小さい。
【００２０】
アクセスフェーズおよび競合解消フェーズを含む上記アクセス手順は、衝突検出を備えたデジタル検知マルチプルアクセス(ＤＳＭＡ−ＣＤ)の１形式である。競合解消フェーズの後、ＢＳ１００は、ＭＳ１１０にその伝送パワーを必要に応じて調整するように命令するパワー制御情報を含む物理制御チャネル(Physical Control Channel：ＰＣＣＨ)２１２の伝送を開始し、ＭＳ１１０は、プリアンブル伝送のために使用されたものと異なる物理チャネル上に通常存在する(割り当てられた)パケットチャネル上に１つまたは複数のデータパケット(ＰＫＴ)２１４を伝送する。ＰＣＣＨ２１２は、データ２１４の伝送と同時に始めることも、あるいは、データ伝送の前に閉ループ電源制御が設定されるようにデータ伝送に十分先行して実行することもできる。
【００２１】
図４には変形方式が示されている。この場合には、アクセスを要求する前にＭＳ１１０がその必要チャネルまたはビットレートが使用可能であるか否かを決定することができるようにするため、ＢＳ１００は可用性(ＡＶ)メッセージ４０２を伝送する。そのような方式は、ＭＳ１１０が成功の可能性のないアクセスを試行することを避けることによって干渉を減少させる。そのような方式を組み入れている無線通信システムが英国特許出願第9921548.5号に詳細に開示されている。
【００２２】
上述のように、ＢＳ１００が１つまたは複数のＭＳ１１０にＡＣＫを伝送するのと同時に(ビットレートが使用できないことを示す)ＮＡＣＫをＢＳ１００がブロードキャストすることができる機能は、システムの効率を向上させ、干渉を減少させる。しかしながら、従来技術のシステムにおいては、ＡＣＫを符合化するために使用されるシグネチャが、許諾しつつあるアクセスプリアンブル２０２を符合化するために使用されるシグネチャと同じものであり、一方、ＮＡＣＫを符合化するために使用されるシグネチャは、チャネルグループを表すために選択されるあるシグネチャの逆であるように選択されている。そのような既知のシステムにおいては、特定のシグネチャで符合化されたＡＣＫが、そのシグネチャの逆で符合化されたＮＡＣＫと同時に伝送されるため、２つの伝送が無効となり得る。このため遅延および干渉が派生する(なぜならば、アクセスプリアンブル２０２を伝送し応答２０４を受け取った各ＭＳ１１０は一層高いパワーレベルでそのプリアンブル２０２を再送信するからである)。
【００２３】
本発明によって構築されるシステムにおいては、プリアンブル２０２を符合化するために使用されたシグネチャと同一でないように、ＡＣＫを符合化するために使用されるシグネチャを変形することによって、このような問題は回避される。例えば、１６個のすべてのシグネチャをＡＣＫに割り当てるのではなく１６個のシグネチャＰ0乃至Ｐ15を使用可能とさせるシステムにおいては、８個のシグネチャおよびそれらの逆が割り当てられる。従って、アクセスプリアンブル２０２を符合化するシグネチャとＡＣＫを符合化するシグネチャとの間の１つの可能な対応関係は、次の通りである。
プリアンブルシグネチャ ＡＣＫシグネチャ
Ｐ0                    Ｐ0
Ｐ1                    Ｐ1
Ｐ2                    Ｐ2
Ｐ3                    Ｐ3
Ｐ4                    Ｐ4
Ｐ5                    Ｐ5
Ｐ6                    Ｐ6
Ｐ7                    Ｐ7
Ｐ8                    -Ｐ0
Ｐ9                    -Ｐ1
Ｐ10                    -Ｐ2
Ｐ11                    -Ｐ3
Ｐ12                    -Ｐ4
Ｐ13                    -Ｐ5
Ｐ14                    -Ｐ6
Ｐ15                    -Ｐ7
【００２４】
残りのシグネチャまたはそれらの逆(ただし両方ではない)を特定ビットレートに対応するＮＡＣＫによる使用のため割り当てることができる。例えば、７つの可能なビットレートが存在する１つのＵＭＴＳ実施形態において、以下の方式に従って対応するＮＡＣＫシグネチャが得られる。
データレート(ＫＢＰＳ) ＮＡＣＫシグネチャ
１５                   Ｐ8
３０                   Ｐ9
６０                   Ｐ10
１２０                 Ｐ11
２４０                 Ｐ12
４８０                 Ｐ13
９６０                 Ｐ14
【００２５】
上記シグネチャ割り当て方式は、ＮＡＣＫを伝送するために使用されたシグネチャの逆がＡＣＫを伝送するために決して使用されることがないので、効率的であり、シグネチャ無効化の問題を克服する。本発明による割り当て方式の代替形態の範囲は、上記特性を持つ限り、容易に決定することができる点は明らかであろう。
【００２６】
図５のフローチャートは、ＭＳ１１０によるアクセス試行に応答してＡＣＫおよびＮＡＣＫを提供する本発明による方法の概要を示している。該方法は、ステップ５０２から始まり、ＢＳ１００が、ランダムアクセスチャネル上の伝送のためのデータを持つＭＳ１１０による１つまたは複数のアクセスプリアンブル２０２の伝送を待つ。ＢＳ１００は、ステップ５０４において、１つのＭＳ１１０からアクセスプリアンブル２０２を受け取り、ステップ５０６において、要求されたビットレートを提供するチャネルが割り当て可能か否かを決定する。可能であれば、ＢＳ１００は、ステップ５０８において、上述のように選択されたシグネチャで符合化されたＡＣＫを伝送し、ステップ５１０において、アクセス手順の残りを処理し、その後、該方法は、ステップ５０４へ戻って、更なるアクセスプリアンブル２０２の受信および処理を行う。適当なチャネルを割り当てることができない場合、ＢＳ１００は、ステップ５１２において、上述のように選択されたシグネチャで符合化されたＮＡＣＫを伝送し、ステップ５０４へ戻って、更なるアクセスプリアンブル２０２の受信および処理を行う。
【００２７】
図５のフローチャートは、単一のアクセスプリアンブル２０２の処理だけを示している。いくつかのプリアンブル２０２が同時に受け取られるとすれば、各々の処理は並列に行われ、受け取ったプリアンブル２０２とチャネルの可用性の完全なセットに応じて伝送されるべきＡＣＫとＮＡＣＫの組合せを決定する。上述のようなＦＤＤシステムにおける適用と同様に、本発明は、その他のタイプの通信システムにおいても適用され得る。例えば、本発明は、アップリンク伝送がダウンリンク伝送と異なる時間スロットで発生することを前提とすれば、時分割多重アクセス(ＴＤＭＡ)システムにおいても使用することができるであろう。
【００２８】
上述された実施形態はパケット通信に関連している。しかしながら、データ伝送のため回路が設定されているシステムにおいて同じ原理を同様に適用することは可能である。
【００２９】
本発明の開示の教示に基づいて、その他の修正が可能な点は当業者に明らかであろう。そのような修正には、無線通信システムおよびその構成部品の設計、製造および使用においてすでに知られていて、前述の機能の代わりまたはそれに加えて使用されることができるその他の機能が含まれるであろう。本発明の請求項は機能の特定の組合せに対する上記適用に基づいているが、本発明の開示の範囲は、それが本明細書の請求項に請求されているものと同じ発明に関するものであろうとなかろうと、また、本発明と同様に同じ技術的問題のいずれかまたはすべてを緩和するものであろうとなかろうと、明示的に、暗黙的にまたは一般的にいかなる新機軸の機能または上記開示された新機軸の機能のいかなる組合せをも含むことは理解されるべき点である。本発明の出願およびそこから導出される更なる出願の審査の過程において、上記機能およびそれらの組合せに基づく新しい請求項が形成される可能性のあることは留意されるべき点である。
【００３０】
産業上の適用性
本発明は、例えばＵＭＴＳなどの無線通信システムの範囲に適用することができる。
【図面の簡単な説明】
【図１】無線通信システムのブロック図である。
【図２】基本的なランダムアクセスパケットチャネル方式を図示する。
【図３】１６個のプリアンブルシグネチャからなる１つの可能なセットを示す図表である。
【図４】パケットチャネル可用性メッセージを持つ改良されたランダムアクセスパケットチャネル方式を図示する。
【図５】ランダムアクセスパケットチャネルに対するアクセス試行に応答する本発明による方法を説明するフローチャートである。
【符号の説明】
１００…基地局（一次局）
１１０…移動局（二次局）
１２２…ダウンリンクチャネル
１２４…アップリンクチャネル
２０２…プリアンブル
２０４…スロット
２０６…プリアンブル応答
２０８…競合解消プリアンブル
２１０…競合解消肯定応答
２１２…物理制御チャネル
２１４…データパケット
４０２…可用性メッセージ
【図１】
0004495892.tif 000002
【図３】
0004495892.tif 000003
【図２】
0004495892.tif 000004
【図４】
0004495892.tif 000005
【図５】
0004495892.tif 000006